【手続補正書】
【提出日】平成31年2月28日(2019.2.28)
【手続補正１】
【補正対象書類名】特許請求の範囲
【補正対象項目名】全文
【補正方法】変更
【補正の内容】
【特許請求の範囲】
【請求項１】
パルス信号を決定するための装置であって、前記装置は、
複数の画像フレームを含むビデオシーケンスを取得するカメラと、
プロセッサと、
前記カメラによって取得された前記ビデオシーケンスから複数のビデオサブシーケンスを形成するステップであって、各ビデオサブシーケンスは前記画像フレームのサブセット中の各画像フレームからのフレームセグメントを含み、各サブセットは複数の画像フレームを含み、各画像フレームは複数のフレームセグメントに分割され、各フレームセグメントは、画像フレーム中で隣り合っているピクセルのグループである、ステップと、
前記画像フレームの第１のサブセットからのフレームセグメントから形成された第１のビデオサブシーケンスについて、
前記第１のビデオサブシーケンス中の前記フレームセグメント中のピクセルのピクセル値を平均化することと、
前記フレームセグメント中の前記ピクセル値の平均を正規化することと
によって、第１の代表値を生成するステップと、
前記画像フレームの第２のサブセットからのフレームセグメントから形成された第２のビデオサブシーケンスについて、
前記第２のビデオサブシーケンス中の前記フレームセグメント中のピクセルのピクセル値を平均化することと、
前記フレームセグメント中の前記ピクセル値の平均を正規化することと
によって、第２の代表値を生成するステップと、
前記第１の代表値を、前記第２の代表値と比較するステップと、
前記第１の代表値と前記第２の代表値との前記比較に基づいて、前記第１のビデオサブシーケンスを、前記画像フレームの前記第２のサブセットからの前記フレームセグメントから形成された前記第２のビデオサブシーケンスと連結させるステップと、
連結された前記ビデオサブシーケンスからパルス信号を決定するステップとを含む方法を実行するために前記プロセッサによって実行できるコンピュータ可読コードを有するコンピュータ可読媒体とを含む、
装置。
【請求項２】
前記方法は、前記画像フレームの複数の前記サブセットの各々からのビデオサブシーケンスを連結するために、前記比較及び前記連結を繰り返すステップをさらに含む、請求項１に記載の装置。
【請求項３】
前記各画像フレームは、前記画像フレーム中のピクセルの色及び空間的な類似度に基づいて前記ピクセルを前記フレームセグメントにグループ化することにより、複数のフレームセグメントに分割される、請求項１に記載の装置。
【請求項４】
前記複数のビデオサブシーケンスは、各ビデオサブシーケンスに対して、前記ビデオサブシーケンス中の前記フレームセグメントの色の差及び／又は前記フレームセグメントの位置の間の空間距離が最小化されるように、前記画像フレームの前記サブセット中の前記各画像フレームから前記フレームセグメントを選択することによって形成される、請求項１に記載の装置。
【請求項５】
前記ピクセル値は、
前記各フレームセグメント中のピクセルの前記ピクセル値を重み付けし、前記ピクセル値は、前記フレームセグメント中でのピクセルの空間位置に基づいて、及び／又は前記フレームセグメントの中心若しくはその近くにあるピクセルとの色の差若しくは前記ピクセルのグループとの色の差に基づいて重み付けされることと、
前記フレームセグメント中の前記ピクセルの重み付けされた前記ピクセル値を平均することとにより、平均化される、
請求項１に記載の装置。
【請求項６】
前記方法は、前記ビデオサブシーケンス中の前記フレームセグメント中のピクセルの前記ピクセル値の平均間の差を決定することによって、前記各ビデオサブシーケンスについての代表値を決定するステップをさらに含む、請求項１に記載の装置。
【請求項７】
ビデオシーケンスからパルス信号を決定する方法であって、前記方法は、
複数の画像フレームを含むビデオシーケンスを取得するステップと、
前記画像フレームのサブセット中に各画像フレームからのフレームセグメントを各々が含む複数のビデオサブシーケンスを形成するステップであって、各サブセットは複数の画像フレームを含み、各画像フレームは複数のフレームセグメントに分割され、各フレームセグメントは、画像フレーム中で隣り合っているピクセルのグループである、ステップと、
前記画像フレームの第１のサブセットからのフレームセグメントから形成された第１のビデオサブシーケンスについて、前記フレームセグメント中のピクセル値の平均を正規化することによって、前記第１のビデオサブシーケンスのフレームセグメントについての第１の代表値を生成するステップと、
前記画像フレームの第２のサブセットからのフレームセグメントから形成された第２のビデオサブシーケンスについて、前記フレームセグメント中のピクセル値の平均を正規化することによって、前記第２のビデオサブシーケンスのフレームセグメントについての第２の代表値を生成するステップと、
前記第１のビデオサブシーケンスについての前記第１の代表値を、前記第２のビデオサブシーケンスについての前記第２の代表値と比較するステップと、
代表値の前記比較に基づいて、前記第１のビデオサブシーケンスを、前記画像フレームの前記第２のサブセットからの前記フレームセグメントから形成された前記第２のビデオサブシーケンスと連結するステップと、
連結された前記ビデオサブシーケンスからパルス信号を決定するステップとを有する、
方法。
【請求項８】
前記画像フレームの複数の前記サブセットの各々からのビデオサブシーケンスを連結するために前記比較するステップ及び前記連結するステップを繰り返すステップをさらに有する、請求項７に記載の方法。
【請求項９】
前記各画像フレームは、ピクセルの色及び空間的な類似度に基づいて前記ピクセルを前記フレームセグメントにグループ化することにより、複数の前記フレームセグメントに分割される、請求項８に記載の方法。
【請求項１０】
前記複数のビデオサブシーケンスを形成するステップは、各ビデオサブシーケンスに対して、前記ビデオサブシーケンス中の前記フレームセグメントの色の差及び／又は前記フレームセグメントの位置の間の空間距離が最小化されるように、前記画像フレームの前記サブセット中の前記各画像フレームから前記フレームセグメントを選択するステップを有する、請求項８に記載の方法。
【請求項１１】
前記ビデオサブシーケンス中の前記フレームセグメント中のピクセルの前記ピクセル値を平均化するステップにより、前記各ビデオサブシーケンスについての代表値を決定するステップをさらに有する、請求項１０に記載の方法。
【請求項１２】
前記ピクセル値を平均化するステップは
各フレームセグメント中のピクセルの前記ピクセル値を重み付けするステップであって、前記ピクセル値は、前記フレームセグメント中でのピクセルの空間位置に基づいて、及び／又は前記フレームセグメントの中心若しくはその近くにあるピクセルとの色の差若しくは前記ピクセルのグループとの色の差に基づいて重み付けされる、ステップと、
前記フレームセグメント中の前記ピクセルの重み付けされた前記ピクセル値を平均するステップとを有する、
請求項１１に記載の方法。
【請求項１３】
コンピュータ可読コードが内部に具現化された非一時的コンピュータ可読媒体であって、前記コンピュータ可読コードは、適切なコンピュータ又はプロセッサによって実行されると、前記コンピュータ又は前記プロセッサに
複数の画像フレームを含むビデオシーケンスを取得するステップと、
複数のビデオサブシーケンスを形成するステップであって、各ビデオサブシーケンスは前記画像フレームのサブセット中の各画像フレームからのフレームセグメントを含み、各サブセットは複数の画像フレームを含み、各画像フレームは複数のフレームセグメントに分割され、各フレームセグメントは、画像フレーム中で隣り合っているピクセルのグループである、ステップと、
前記画像フレームの第１のサブセットからのフレームセグメントから形成された第１のビデオサブシーケンスについて、前記フレームセグメント中のピクセル値の平均を正規化することによって、前記第１のビデオサブシーケンスのフレームセグメントについての第１の代表値を生成するステップと、
前記画像フレームの第２のサブセットからのフレームセグメントから形成された第２のビデオサブシーケンスについて、前記フレームセグメント中のピクセル値の平均を正規化することによって、前記第２のビデオサブシーケンスのフレームセグメントについての第２の代表値を生成するステップと、
前記第１の代表値を、前記第２の代表値と比較するステップと、
代表値の前記比較に基づいて、前記第１のビデオサブシーケンスを、前記画像フレームの前記第２のサブセットからの前記フレームセグメントから形成された前記第２のビデオサブシーケンスと連結するステップと、
連結された前記ビデオサブシーケンスからパルス信号を決定するステップとを有する方法を行わせる、
非一時的コンピュータ可読媒体。
【請求項１４】
前記方法は、前記画像フレームの複数の前記サブセットの各々からのビデオサブシーケンスを連結するために前記比較するステップ及び前記連結するステップを繰り返すステップをさらに有する、請求項１３に記載の非一時的コンピュータ可読媒体。
【請求項１５】
前記各画像フレームは、ピクセルの色及び空間的な類似度に基づいて前記ピクセルを前記フレームセグメントにグループ化することにより、複数の前記フレームセグメントに分割される、請求項１４に記載の非一時的コンピュータ可読媒体。
【請求項１６】
前記複数のビデオサブシーケンスを形成するステップは、各ビデオサブシーケンスに対して、前記ビデオサブシーケンス中の前記フレームセグメントの色の差及び／又は前記フレームセグメントの位置の間の空間距離が最小化されるように、前記画像フレームの前記サブセット中の前記各画像フレームから前記フレームセグメントを選択するステップを有する、請求項１４に記載の非一時的コンピュータ可読媒体。
【請求項１７】
前記方法は、前記ビデオサブシーケンス中の前記フレームセグメント中のピクセルの前記ピクセル値を平均化するステップにより、前記各ビデオサブシーケンスについての代表値を決定するステップをさらに有する、請求項１６に記載の非一時的コンピュータ可読媒体。
【請求項１８】
前記ピクセル値を平均化するステップは
各フレームセグメント中のピクセルの前記ピクセル値を重み付けするステップであって、前記ピクセル値は、前記フレームセグメント中でのピクセルの空間位置に基づいて、及び／又は前記フレームセグメントの中心若しくはその近くにあるピクセルとの色の差若しくは前記ピクセルのグループとの色の差に基づいて重み付けされる、ステップと、
前記フレームセグメント中の前記ピクセルの重み付けされた前記ピクセル値を平均するステップとを有する、
請求項１７に記載の非一時的コンピュータ可読媒体。
【請求項１９】
前記第１のビデオサブシーケンスの前記フレームセグメントについての前記第１の代表値を生成するステップは、前記フレームセグメント中のピクセル値の前記平均を、前記第１のビデオサブシーケンス中のすべてのフレームセグメント中のすべてのピクセルのピクセル値の平均又は重み付き平均で割ることによって、前記フレームセグメント中の前記ピクセル値の前記平均を正規化するステップを有し、
前記第２のビデオサブシーケンスの前記フレームセグメントについての前記第２の代表値を生成するステップは、前記フレームセグメント中のピクセル値の前記平均を、前記第２のビデオサブシーケンス中のすべてのフレームセグメント中のすべてのピクセルのピクセル値の平均又は重み付き平均で割ることによって、前記フレームセグメント中の前記ピクセル値の前記平均を正規化するステップを有する、
請求項１３に記載の非一時的コンピュータ可読媒体。
【請求項２０】
前記第１のビデオサブシーケンスの前記フレームセグメントについての前記第１の代表値を生成するステップは、前記フレームセグメント中のピクセル値の前記平均を、前記第１のビデオサブシーケンスがそれから形成されている画像フレームの前記第１のサブセット中のすべての画像フレーム中のすべてのピクセルのピクセル値の平均又は重み付き平均で割ることによって、前記フレームセグメント中の前記ピクセル値の前記平均を正規化するステップを有し、
前記第２のビデオサブシーケンスの前記フレームセグメントについての前記第２の代表値を生成するステップは、前記フレームセグメント中のピクセル値の前記平均を、前記第２のビデオサブシーケンスがそれから形成されている画像フレームの前記第２のサブセット中のすべての画像フレーム中のすべてのピクセルのピクセル値の平均又は重み付き平均で割ることによって、前記フレームセグメント中の前記ピクセル値の前記平均を正規化するステップを有する、
請求項１３に記載の非一時的コンピュータ可読媒体。